(57)【要約】【課題】印刷機の色表現に対する特色の貢献の程度を容易に把握できるようにガマットを表示することができる色範囲表示装置と色範囲表示プログラムとを提供する。【解決手段】ＣＭＹＫ４色のプロセス色とＯ色の特色とからなる複数の要素色それぞれの要素量の組み合わせと、その組み合わせによって表現される色との対応関係を定義したＣＭＹＫＯ−Ｌａｂ色定義を取得する定義取得部４１０と、定義取得部４１０で取得されたＣＭＹＫＯ−Ｌａｂ色定義に基づいて、プロセス色のみで表現可能な色を表すＣＭＹＫガマットと、Ｏ色の特色を加えた場合に表現可能な色を表すＣＭＹＫＯガマットとを求める範囲算出部４４０と、範囲算出部４４０で求められたＣＭＹＫガマットとＣＭＹＫＯガマットとを相互に重ねて表示する範囲表示部４５０とを備えた。【選択図】        図４
2007322670.tif 000002
【特許請求の範囲】
【請求項１】
複数の基本要素色と１つ以上の非基本要素色とからなる複数の要素色それぞれの要素量の組み合わせと、その組み合わせによって表現される色との対応関係を定義した色定義を取得する定義取得部と、
前記定義取得部で取得された色定義に基づいて、前記非基本要素色の要素量が０に限定された場合に表現可能な色を表す第１範囲と、前記非基本要素色の要素量が非限定である場合に表現可能な色を表す第２範囲とを求める範囲算出部と、
前記範囲算出部で求められた前記第１範囲と前記第２範囲とを相互に重ねて表示する範囲表示部とを備えたことを特徴とする色範囲表示装置。
【請求項２】
前記基本要素色がＣＭＹＫ４色のプロセス色であり、前記非基本要素色が特色であることを特徴とする請求項１記載の色範囲表示装置。
【請求項３】
明度を操作に応じて指定する明度指定部を備え、
前記範囲算出部は、前記第１範囲と前記第２範囲とを、前記明度指定部で指定された明度と同じ明度を有する色に限定して求めるものであることを特徴とする請求項１記載の色範囲表示装置。
【請求項４】
色相を操作に応じて指定する色相指定部を備え、
前記範囲算出部は、前記第１範囲と前記第２範囲とを、前記色相指定部で指定された色相と同じ色相を有する色に限定して求めるものであることを特徴とする請求項１記載の色範囲表示装置。
【請求項５】
コンピュータに組み込まれ、該コンピュータ上で、
複数の基本要素色と１つ以上の非基本要素色とからなる複数の要素色それぞれの要素量の組み合わせと、その組み合わせによって表現される色との対応関係を定義した色定義を取得する定義取得部と、
上記定義取得部で取得された色定義に基づいて、上記非基本要素色の要素量が０に限定された場合に表現可能な色を表す第１範囲と、上記非基本要素色の要素量が非限定である場合に表現可能な色を表す第２範囲とを求める範囲算出部と、
上記範囲算出部で求められた上記第１範囲と上記第２範囲とを相互に重ねて表示する範囲表示部とを構築することを特徴とする色範囲表示プログラム。
【発明の詳細な説明】
【技術分野】
【０００１】
本発明は、複数の要素色それぞれの要素量の組み合わせで表現可能な色範囲を表示する色範囲表示装置と、コンピュータをそのような色範囲表示装置として動作させる色範囲表示プログラムに関する。
【背景技術】
【０００２】
従来、印刷機では、シアン（Ｃ）、マゼンタ（Ｍ）、イエロー（Ｙ）、ブラック（Ｋ）の４色（プロセス色）の色要素のインクが一般的に用いられ、これら複数の色要素の組み合わせによって色が表現される。また、このようなプロセス色のみの組み合わせでは表現しきれない色を適切に表現するために、例えばレッド（Ｒ）、グリーン（Ｇ）、ブルー（Ｂ）等といった、プロセス色以外の色（特色）の色要素のインクが用いられることもある。
【０００３】
このような印刷機等を使った印刷において、特色を用いる否かの判断は、画像の編集者あるいは印刷業者等といったユーザの判断に委ねられている。特色を用いることにより印刷機で適切に再現できる色の種類が増えることは確かであるが、一方で、特色を用いた分だけ印刷の手間やコストが嵩むこととなる。そこで、特色を用いたことによる色表現上の効果を知ることが重要となっている。
【０００４】
ここで、印刷機等における色表現能力を示す指標の一つとして、その印刷機で表現可能な色の範囲（ガマット）が挙げられる。ガマットを視覚的に示す表示方法として、例えば、人間が色を直感的にイメージしやすいＬａｂ色空間上ではガマットは３次元形状をとるが、そのようなガマットを３次元的に表示する方法や、正面図や平面図等によって２次元的に表示する方法が知られている。また、このようなガマットの表面形状だけでなく、ガマット内部の色を表示するという技術も提案されている（例えば、特許文献１参照。）。このようなガマットの表示によれば、例えば特色を用いた際の印刷機のガマットを表示することで、特色を用いた印刷機の色表現能力を視覚的に把握することができ、ユーザは、特色使用の是非についての判断材料を得ることができる。
【特許文献１】特開２００２−１２３２４４号公報
【発明の開示】
【発明が解決しようとする課題】
【０００５】
しかしながら、表示されたガマットから特色を用いた印刷機の色表現能力を包括的に把握することはできても、ガマットから特色の貢献の程度まで把握することは非常に難しい。一方で、特色使用の費用対効果の面からは、特色の貢献の程度も把握できることが望ましい。
【０００６】
本発明は、上記事情に鑑み、印刷機の色表現に対する特色の貢献の程度を容易に把握できるようにガマットを表示することができる色範囲表示装置と、コンピュータをそのような色範囲表示装置として動作させる色範囲表示プログラムとを提供することを目的とする。
【課題を解決するための手段】
【０００７】
上記目的を達成する本発明の色範囲表示装置は、複数の基本要素色と１つ以上の非基本要素色とからなる複数の要素色それぞれの要素量の組み合わせと、その組み合わせによって表現される色との対応関係を定義した色定義を取得する定義取得部と、
上記定義取得部で取得された色定義に基づいて、上記非基本要素色の要素量が０に限定された場合に表現可能な色を表す第１範囲と、上記非基本要素色の要素量が非限定である場合に表現可能な色を表す第２範囲とを求める範囲算出部と、
上記範囲算出部で求められた上記第１範囲と上記第２範囲とを相互に重ねて表示する範囲表示部とを備えたことを特徴とする。
【０００８】
ここで、本発明の色範囲表示装置において、「上記基本要素色がＣＭＹＫ４色のプロセス色であり、上記非基本要素色が特色である」という形態は典型的な形態である。
【０００９】
本発明の色範囲表示装置によれば、例えば印刷機におけるプロセス色のみで表現可能な色範囲（ガマット）と特色が使われた場合のガマットとが、それぞれ上記第１範囲と上記第２範囲として相互に重ねられて表示される。これにより、特色によるガマットの広がりを視覚的に把握することが可能となる。つまり、本発明の色範囲表示装置によれば、印刷機の色表現に対する特色の貢献の程度を容易に把握できるようにガマットを表示することができる。
【００１０】
ここで、本発明の色範囲表示装置において、「明度を操作に応じて指定する明度指定部を備え、
上記範囲算出部は、上記第１範囲と上記第２範囲とを、上記明度指定部で指定された明度と同じ明度を有する色に限定して求めるものである」という形態や、
「色相を操作に応じて指定する色相指定部を備え、
上記範囲算出部は、上記第１範囲と上記第２範囲とを、上記色相指定部で指定された色相と同じ色相を有する色に限定して求めるものである」という形態は好ましい形態である。
【００１１】
画像の種類によっては、ある特定の明度や色相の色について特に高精度の色表現が求められる場合がある。そのような場合、上記の好ましい形態の色範囲表示装置によれば、そのような特定の明度や色相の色に対する特色の貢献の程度を容易に把握することができる。
【発明の効果】
【００１２】
以上、説明したように、本発明によれば、印刷機の色表現に対する特色の貢献の程度を容易に把握できるようにガマットを表示することができる色範囲表示装置と、コンピュータをそのような色範囲表示装置として動作させる色範囲表示プログラムとを得ることができる。
【発明を実施するための最良の形態】
【００１３】
以下図面を参照して本発明の実施の形態を説明する。
【００１４】
図１は、本発明の色範囲表示装置の一実施形態として動作するパーソナルコンピュータの外観斜視図、図２はそのハードウェア構成図である。
【００１５】
このパーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１１、およびＣＤ−ＲＯＭを装填するためのＣＤ−ＲＯＭ装填口１１２を有する。
【００１６】
本体装置１１０の内部には、図２に示すように、各種プログラムを実行するＣＰＵ１１３、ハードディスク装置１１５に格納されたプログラムが読み出されＣＰＵ１１３での実行のために展開される主メモリ１１４、各種プログラムやデータなどが保存されたハードディスク装置１１５、ＦＤ２１０をアクセスするＦＤドライバ１１６、ＣＤ−ＲＯＭ２２０が装填され、その装填されたＣＤ−ＲＯＭ２２０をアクセスするＣＤ−ＲＯＭドライバ１１７、図１のカラースキャナ１０やフィルムプリンタ２０に接続されこれらの機器とデータのやり取りを行なうＩ／Ｏインタフェース１１８が内蔵されており、これらの各種要素と、さらに図２にも示す画像表示装置１２０、キーボード１３０、マウス１４０は、バス１５０を介して相互に接続されている。
【００１７】
本実施形態では、図２に示すＣＤ−ＲＯＭ２２０に、このパーソナルコンピュータ１００を、本発明の色範囲表示装置の一実施形態として動作させる、本発明の色範囲表示プログラムの一実施形態が記憶される。そして、そのＣＤ−ＲＯＭ２２０がＣＤ−ＲＯＭドライバ１１７に装填されると、そのＣＤ−ＲＯＭ２２０に記憶されたプログラムがこのパーソナルコンピュータ１００にアップロードされてハードディスク装置１１５に書き込まれる。これにより、パーソナルコンピュータ１００は色範囲表示装置として動作する。
【００１８】
以下、この本発明の色範囲表示プログラムの一実施形態について説明する。
【００１９】
図３は、本発明の色範囲表示プログラムの一実施形態を示す模式図である。
【００２０】
この図３には、本発明の色範囲表示プログラムの一実施形態である色範囲表示プログラム３００が記憶されたＣＤ−ＲＯＭ２２０が模式的に示されている。
【００２１】
この色範囲表示プログラム３００は、コンピュータ１００を本発明の色範囲表示装置の一実施形態として動作させるものであり、定義取得部３１０と、明度指定部３２０と、色相指定部３３０と、範囲算出部３４０と、範囲表示部３５０とを有する。この色範囲表示プログラム３００の各要素の詳細については後述する。
【００２２】
図４は、本発明の色範囲表示装置の一実施形態を示すブロック図である。
【００２３】
この図４に示す、本発明の色範囲表示装置の一実施形態である色範囲表示装置４００は、図３の色範囲表示プログラム３００が図１のコンピュータ１００にインストールされて実行されることによって構成されるものであり、定義取得部４１０と、明度指定部４２０と、色相指定部４３０と、範囲算出部４４０と、範囲表示部４５０とを有する。
【００２４】
図３の色範囲表示プログラム３００が、図１のコンピュータ１００にインストールされると、その色範囲表示プログラム３００の定義取得部３１０、明度指定部３２０、色相指定部３３０、範囲算出部３４０、および範囲表示部３５０は、それぞれ図４に示す色範囲表示装置４００の定義取得部４１０、明度指定部４２０、色相指定部４３０、範囲算出部４４０、および範囲表示部４５０を構築する。ここで、これら色範囲表示装置４００の各要素は、コンピュータのハードウェアとそのコンピュータで実行されるＯＳやアプリケーションプログラムとの組合せで構成されているのに対し、図３の色範囲表示プログラム３００の各要素は、アプリケーションプログラムのみによって構成されている。
【００２５】
また、この色範囲表示装置４００における定義取得部４１０、明度指定部４２０、色相指定部４３０、範囲算出部４４０、および範囲表示部４５０は、それぞれ本発明の色範囲表示装置における定義取得部、明度指定部、色相指定部、範囲算出部、および範囲表示部の各一例に相当する。
【００２６】
以下、この図４に示す色範囲表示装置４００の各要素を説明することによって、図３に示す色範囲表示プログラム３００の各要素も併せて説明する。
【００２７】
色範囲表示装置４００は、ＣＭＹＫ４色のプロセス色のインク、およびプロセス色以外の１色の特色のインクとが使用できる印刷機のガマットを表示するものである。以下では、この特色がＯ（オレンジ）色であることを前提として説明する。ここで、ＣＭＹＫ４色のプロセス色が、本発明にいう基本要素色の一例に相当し、Ｏ色の特色が、本発明にいう非基本要素色の一例に相当する。
【００２８】
定義取得部４１０では、上記の印刷機で使用されるインクの色であるＣＭＹＫＯ５色それぞれの要素量の組み合せと、その組み合わせによって表現される色との対応関係を定義した色定義として、印刷機の装置特性に依存したＣＭＹＫＯ色空間と、共通色空間であるＬａｂ色空間との対応関係を定義したＣＭＹＫＯ−Ｌａｂ色定義を取得する。
【００２９】
このＣＭＹＫＯ−Ｌａｂ色定義は、ＣＭＹＫＯ色空間上に規則的に並んだ複数の格子点と、Ｌａｂ色空間上の複数点との１対１の対応関係がテーブル形式で記述されたものであり、その記述によってＣＭＹＫＯ色空間とＬａｂ色空間との対応関係を定義している。本実施形態では、このＣＭＹＫＯ−Ｌａｂ色定義は、次のような手順で作成されたものである。まず、ＣＭＹＫＯ色空間上の複数の格子点のうちの所定の複数の代表点に対応する色を有する複数のカラーパッチを、印刷機に出力させる。ここで、このカラーパッチの出力は、各カラーパッチの色をＣＭＹＫＯ色空間の各代表点の座標（Ｃ値、Ｍ値、Ｙ値、Ｋ値、Ｏ値：ＣＭＹＫＯ各色の網パーセント値）で表すパッチデータ基いて実行される。そして、出力された各カラーパッチの色を測色して、各カラーパッチの色の測色値（Ｌａｂ値）を得る。次に、ＣＭＹＫＯ色空間上における上記の代表点以外の格子点について、測色値を用いた補間処理によって対応するＬａｂ値を算出し、最後に、全格子点のＣＭＹＫＯ値とＬａｂ値とを互いに対応付けるテーブルを作成することで、ＣＭＹＫＯ−Ｌａｂ色定義を完成させる。このＣＭＹＫＯ−Ｌａｂ色定義は、本発明にいう色定義の一例に相当する。本実施形態では、このＣＭＹＫＯ−Ｌａｂ色定義が、予め作成されて、不図示のメモリ内に格納されている。上記の定義取得部４１０は、このメモリからＣＭＹＫＯ−Ｌａｂ色定義を読み出す。
【００３０】
明度指定部４２０では、明度が、後述の操作によって、Ｌａｂ色空間におけるＬ＊値で指定され、また、色相指定部４３０では、色相が、後述の操作によって、Ｌａｂ色空間のａ＊ｂ＊平面上での色相角で指定される。
【００３１】
範囲算出部４４０では、次のような６種類のガマットそれぞれが、上記の定義取得部４１０で取得されたＣＭＹＫＯ−Ｌａｂ色定義に基いて算出される。即ち、上記の印刷機においてプロセス色のうちのＣＭＹ３色で表現可能な色のうち明度指定部４２０で指定された明度と同じ明度（指定明度）を有する色に限定された色の範囲である明度指定ＣＭＹガマットと、ＣＭＹＫ４色のプロセス色のみで表現可能な色のうち指定明度に限定された色の範囲である明度指定ＣＭＹＫガマットと、プロセス色とＯ色とで表現可能な色のうち指定明度に限定された色の範囲である明度指定ＣＭＹＫＯガマットと、ＣＭＹ３色で表現可能な色のうち色相指定部４３０で指定された色相と同じ色相（指定色相）を有する色に限定された色の範囲である色相指定ＣＭＹガマットと、プロセス色のみで表現可能な色のうち上記の指定色相に限定された色の範囲である色相指定ＣＭＹＫガマットと、プロセス色とＯ色とで表現可能な色のうち指定色相に限定された色の範囲である色相指定ＣＭＹＫＯガマットとの６種類のガマットが算出される。ここで、プロセス色のうちのＣＭＹ３色を本発明にいう基本色の一例と捉え、Ｋ色とＯ色とを本発明にいう非基本色の一例と捉えた場合には、上記の明度指定ＣＭＹガマットおよび色相指定ＣＭＹガマットの両方が、本発明にいう第１範囲の一例に相当し、明度指定ＣＭＹＫガマットと色相指定ＣＭＹＫガマットと明度指定ＣＭＹＫＯガマットと色相指定ＣＭＹＫＯガマットとが、本発明にいう第２範囲の一例に相当する。また、ＣＭＹＫ４色のプロセス色全てを本発明にいう基本色の一例と捉え、Ｏ色のみを本発明にいう非基本色の一例と捉えた場合には、明度指定ＣＭＹＫガマットおよび色相指定ＣＭＹＫガマットの両方は、本発明にいう第１範囲の一例に相当し、明度指定ＣＭＹＫＯガマットおよび色相指定ＣＭＹＫＯガマットの両方が、本発明にいう第２範囲の一例に相当することとなる。
【００３２】
範囲表示部４５０では、明度指定ＣＭＹガマットと明度指定ＣＭＹＫガマットと明度指定ＣＭＹＫＯガマットとが相互に重ねられて表示され、さらに、色相指定ＣＭＹガマットと色相指定ＣＭＹＫガマットと色相指定ＣＭＹＫＯガマットとが相互に重ねられて表示される。
【００３３】
図５は、範囲表示部４５０による表示の一例を示す図であり、図６は、範囲表示部４５０による、指定明度および指定色相が図５の例における指定明度および指定色相とは異なる表示の一例を示す図である。
【００３４】
図５および図６には、３種類の明度指定ガマットが重ねられて表示される明度指定ガマット表示部５１０と、３種類の色相指定ガマットが重ねられて表示される色相指定ガマット表示部５２０と、凡例が表示される凡例表示部分５３０とからなるガマット表示画面５００が示されている。
【００３５】
ここで、上記の明度指定ガマット表示部５１０には、明度（Ｌ＊値）の指定操作に使われるスライドバー５１１が備えられており、ユーザがマウス１４０（図１参照）操作によってスライドバー５１１を所望の明度に対応する位置に動かすと、明度指定部４２０（図４参照）が、その位置に対応する明度を指定する。また、スライドバー５１１の位置に対応する明度は、明度表示部分５１２にＬ＊値で表示される。そして、このように明度が指定されると、その指定された明度を有する色に限定された３種類の明度指定ガマット、即ち、上記の明度指定ＣＭＹガマットと明度指定ＣＭＹＫガマットと明度指定ＣＭＹＫＯガマットとのそれぞれが算出され、ガマット表示部分５１３に相互に重ねられて表示される。この明度指定ガマット表示部５１０のガマット表示部分５１３に表示されるガマットは、Ｌａｂ色空間上の立体的なガマットを、Ｌ＊軸上の指定された明度を表すＬ＊値を通るａ＊ｂ＊平面に平行な平面で切断したときの切断面に相当する。
【００３６】
図５には、明度が「５０」というＬ＊値に指定されたときのガマットが示され、図６には、明度が「２０」というＬ＊値に指定されたときのガマットが示されている。ここで、図５では、「５０」というＬ＊値に対する明度指定ＣＭＹＫガマットと明度指定ＣＭＹガマットＧ１とは差が無いので、表示の順位に従って明度指定ＣＭＹガマットＧ１のみが見えており、さらに明度指定ＣＭＹＫＯガマットＧ３のうちの明度指定ＣＭＹガマットＧ１よりも広がった部分が見えている。一方、図６では、「２０」というＬ＊値に対する明度指定ＣＭＹガマットＧ１’と、明度指定ＣＭＹＫガマットＧ２’のうちの明度指定ＣＭＹガマットＧ１’よりも広がった部分と、明度指定ＣＭＹＫＯガマットＧ３’のうちの明度指定ＣＭＹＫガマットＧ２’よりも広がった部分とが見えている。このように、この明度指定ガマット表示部５１０によれば、指定された明度について、Ｋ色および特色（Ｏ色）それぞれがガマットに対してどの程度貢献しているかが視覚的に把握できるようになっている。
【００３７】
また、上記の色相指定ガマット表示部５２０には、色相（色相角Ｈ）の指定操作に使われるダイヤル５２１が備えられており、ユーザがマウス１４０（図１参照）操作によってダイヤル５２１を所望の色相に対応する位置に動かすと、色相指定部４２０（図４参照）が、その位置に対応する色相を指定する。また、ダイヤル５２１の位置に対応する色相は、色相表示部分５２２に色相角で表示される。そして、このように色相が指定されると、その指定された色相を有する色に限定された３種類の色相指定ガマット、即ち、上記の色相指定ＣＭＹガマットと色相指定ＣＭＹＫガマットと色相指定ＣＭＹＫＯガマットとのそれぞれが算出され、ガマット表示部分５２３に相互に重ねられて表示される。この色相指定ガマット表示部５２０のガマット表示部分５２３に表示されるガマットは、Ｌａｂ色空間上の立体的なガマットを、ａ＊ｂ＊平面上の、指定された色相を表す色相角をなすａ＊ｂ＊平面に垂直な平面で切断したときの切断面に相当する。
【００３８】
図５には、色相が「４５°」という色相角に指定されたときのガマットが示され、図６には、色相が「９０°」という色相角に指定されたときのガマットが示されている。図５および図６双方とも、色相指定ＣＭＹガマットＧ１，Ｇ１’と、色相指定ＣＭＹＫガマットＧ２，Ｇ２’のうちの色相指定ＣＭＹガマットＧ１，Ｇ１’よりも広がった部分と、色相指定ＣＭＹＫＯガマットＧ３，Ｇ３’のうちの色相指定ＣＭＹＫガマットＧ２，Ｇ２’よりも広がった部分とが見えている。このように、この色相指定ガマット表示部５２０によれば、指定された色相について、Ｋ色および特色（Ｏ色）それぞれがガマットに対してどの程度貢献しているかが視覚的に把握できるようになっている。
【００３９】
以上、説明したように、本実施形態の色範囲表示装置４００によれば、プロセス色のうちのＣＭＹ３色に対するガマットと、ＣＭＹＫ４色のプロセス色に対するガマットと、プロセス色およびＯ色に対するガマットとが相互に重ねられて表示されるので、Ｋ色および特色（Ｏ色）それぞれがガマットに対してどの程度貢献しているかが視覚的に把握できる。また、画像の種類によっては、ある特定の明度や色相の色について特に高精度の色表現が求められる場合がある。そのような場合、色範囲表示装置４００によれば、そのような特定の明度や色相を指定して、それらの明度や色相を有する色に限定されたガマットを表示することで、特定の明度や色相の色に対するＫ色および特色（Ｏ色）それぞれの貢献の程度を容易に把握することができる。
【００４０】
尚、上記では、本発明の色範囲表示装置の一実施形態として、ＣＭＹＫ４色のプロセス色とＯ色の特色とで色を表現することができる印刷機のガマットを表示する色範囲表示装置４００を例示したが、本発明はこれに限るものではない。本発明の色範囲表示装置は、例えば、ＲＧＢ３色の基本要素色と例えばＣ色等といった非基本要素色とで色を表現することができるカラーモニタのガマットを表示するもの等であっても良い。
【００４１】
また、上記では、本発明にいう範囲算出部の一例として、明度について限定されたガマットと、色相について限定されたガマットとの両方を算出する範囲算出部４４０を例示したが、本発明はこれに限るものではない。本発明の範囲算出部は、例えば、明度について限定されたガマットと、色相について限定されたガマットとの何れか一方のみを算出するもの等であっても良い。
【００４２】
また、上記では、本発明にいう範囲算出部の一例として、Ｏ色という１色の特色を色要素に加えた場合のガマットを算出する範囲算出部４４０を例示したが、本発明はこれに限るものではない。本発明の範囲算出部は、例えば、複数色の特色を色要素に加えた場合のガマットを算出するものであっても良い。その場合、複数色の特色を全て加えた場合のガマットのみを算出するものであっても良く、あるいは、１色ずつ特色を増やしていった場合の各段階に相当する複数のガマットを算出するもの等であっても良い。
【図面の簡単な説明】
【００４３】
【図１】本発明の色範囲表示装置の一実施形態として動作するパーソナルコンピュータの外観斜視図である。
【図２】本発明の色範囲表示装置の一実施形態として動作するパーソナルコンピュータのハードウェア構成図である。
【図３】本発明の色範囲表示プログラムの一実施形態を示す模式図である。
【図４】本発明の色範囲表示装置の一実施形態を示すブロック図である。
【図５】範囲表示部４５０による表示の一例を示す図である。
【図６】範囲表示部４５０による、指定明度および指定色相が図５の例における指定明度および指定色相とは異なる表示の一例を示す図である。
【符号の説明】
【００４４】
１００    パーソナルコンピュータ
１１０    本体装置
１１１    ＦＤ装填口
１１２    ＣＤ−ＲＯＭ装填口
１１３    ＣＰＵ
１１４    主メモリ
１１５    ハードディスク装置
１１６    ＦＤドライバ
１１７    ＣＤ−ＲＯＭドライバ
１１８    Ｉ／Ｏインタフェース
１２０    画像表示装置
１２１    表示画面
１３０    キーボード
１４０    マウス
２１０    ＦＤ
２２０    ＣＤ−ＲＯＭ
３００    色範囲表示プログラム
３１０    定義取得部
３２０    明度指定部
３３０    色相指定部
３４０    範囲算出部
３５０    範囲表示部
４００    色範囲表示装置
４１０    定義取得部
４２０    明度指定部
４３０    色相指定部
４４０    範囲算出部
４５０    範囲表示部
５００    ガマット表示画面
５１０    明度指定ガマット表示部
５１１    スライドバー
５１２    明度表示部分
５１３    ガマット表示部分
５２０    色相指定ガマット表示部
５２１    ダイヤル
５２２    色相表示部分
５２３    ガマット表示部分
５３０    凡例表示部分
【図１】
2007322670.tif 000003
【図２】
2007322670.tif 000004
【図３】
2007322670.tif 000005
【図４】
2007322670.tif 000006
【図５】
2007322670.tif 000007
【図６】
2007322670.tif 000008